(57)【特許請求の範囲】
【請求項１】
光軸方向に短縮可能なレンズ鏡筒において、
第１のレンズを有した第１のレンズ保持枠と、
第２のレンズを有した第２のレンズ保持枠と、
上記第２のレンズ保持枠を保持し、上記第２のレンズ保持枠を上記第１のレンズ保持枠の方向に付勢した付勢手段を有し、上記第２のレンズ保持枠を上記レンズ群の光軸方向に相対移動可能とさせた枠保持部材と、
上記付勢手段の付勢に抗して上記第１のレンズと上記第２のレンズとを当接させるため、上記第１のレンズ保持枠と上記枠保持部材の少なくとも一方を光軸方向に駆動する駆動手段と、
を具備する短縮可能なレンズ鏡筒。
【請求項２】
光軸方向に短縮可能なレンズ鏡筒において、
第１のレンズと、
第２のレンズと、
上記第１のレンズを保持し光軸方向に移動可能な第１のレンズ保持枠と、
上記第１のレンズ保持枠を光軸方向に駆動し、上記第１のレンズを上記第２のレンズに当接させ上記短縮方向に駆動する駆動手段と、
上記第２のレンズを保持し、上記第１のレンズが駆動され上記第２レンズに当接したとき、上記第２のレンズが上記第１のレンズと伴に上記光軸方向に移動可能とする干渉許容手段と、
を具備したことを特徴とした短縮可能なレンズ鏡筒。
【請求項３】
上記第１のレンズと上記第２のレンズとが当接する当接面には、上記第１のレンズの当接面と上記第２のレンズの当接面にダイヤモンドライクカーボンコーティングが施されていることを特徴とした上記請求項１乃至２記載のレンズ鏡筒。
【請求項４】
上記第１のレンズ保持枠はバネに抗して当接方向に駆動されることを特徴とした上記請求項１乃至２記載のレンズ鏡筒。
【請求項５】
上記干渉許容手段は上記第２のレンズ保持枠をバネにより光軸上の当接方向に付勢されていることを特徴とした上記請求項２記載のレンズ鏡筒。
【請求項６】
さらに第３のレンズを保持する第３のレンズ枠を有し、上記短縮完了時には上記第１のレンズと上記第２のレンズ及び上記第３のレンズが繋がっていることを特徴とした上記請求項１乃至２記載のレンズ鏡筒。
【発明の詳細な説明】
【技術分野】
【０００１】
本発明は、光軸方向に短縮可能なレンズ鏡筒に関する。
【背景技術】
【０００２】
近年、カメラなどの撮像機器などに取付けられている撮影レンズも携帯性向上のため小型化が要求され、さらなる光軸方向における短縮化も要求されている。
【０００３】
引用文献１においては、レンズ鏡筒を短縮化して沈胴するズームレンズ鏡筒が開示されている。
【特許文献１】特開平１−１３６１０９号公報
【発明の概要】
【発明が解決しようとする課題】
【０００４】
特開平１−１３６１０９号公報に開示されるズームレンズ鏡筒は、ズーム状態から沈胴状態に至る短縮技術を開示してはいるが、さらなる短縮化が要求されているなかで、沈胴状態のレンズ群間において空気間隔が存在している。しかし、さらなる光軸方向への短縮化において、この空気間隔がレンズ鏡筒の短縮化を妨げている。
【０００５】
本発明は上記問題点に鑑みてなされたものであり、非使用状態でのレンズ鏡筒のさらなる短縮化を図ったレンズ鏡筒を提供することを目的とする。
【課題を解決するための手段】
【０００６】
上記課題を解決するため、本発明のレンズ鏡筒は、光軸方向に短縮可能なレンズ鏡筒において、第１のレンズと、第２のレンズと、上記第１のレンズを保持し光軸方向に移動可能な第１のレンズ保持枠と、上記第１のレンズ保持枠を光軸方向に駆動し、上記第１のレンズを上記第２のレンズに当接させる駆動手段と、上記第２のレンズを保持し、上記第１のレンズが駆動され上記第２レンズに当接（干渉）したとき、上記第２のレンズが上記第１のレンズと伴に上記光軸方向に移動可能とする干渉許容手段（干渉吸収手段）と、を具備したことを特徴としている。
【０００７】
また、本発明の上記レンズ鏡筒は、上記第１のレンズと上記第２のレンズとが当接する当接面には、上記第１のレンズの当接面と上記第２のレンズの当接面の少なくともどちらか一方にダイヤモンドライクコーティングが施されていることを特徴としているレンズ鏡筒。
【０００８】
また、本発明の上記レンズ鏡筒は、上記第１のレンズ保持枠がバネに抗して当接方向に駆動されることを特徴としているレンズ鏡筒。
【０００９】
また、本発明の上記レンズ鏡筒は、上記干渉許容手段が上記第２のレンズ保持枠をバネにより光軸上の当接方向に付勢していることを特徴とした上記請求項１記載のレンズ鏡筒。
【発明の効果】
【００１０】
本発明によれば、非撮影状態においてレンズ鏡筒が短縮され、レンズ鏡筒若しくはこれが取付けられた撮像機器の携帯性が向上したレンズ鏡筒を提供することができる。
【図面の簡単な説明】
【００１１】
【図１】本発明の一実施形態であるズームレンズ鏡筒の光軸を含む沈胴状態の断面図。
【図２】上記ズームレンズ鏡筒のテレ状態における光軸を含む断面図。
【図３】上記ズームレンズ鏡筒の分解斜視図。
【図４】上記ズームレンズ鏡筒の変倍カムおよびフォーカシングカム枠の後方側から見た斜視図。
【図５】上記ズームレンズ鏡筒のフォーカシングカム枠のカム溝の展開図。
【発明を実施するための形態】
【００１２】
以下、本発明の実施形態について、図を用いて説明する。
【００１３】
第１図、第２図は本発明の一実施例を示す沈胴式ズームレンズ鏡筒の断面図であって、第１図は短縮状態である非使用状態（沈胴状態）を示し、第２図は伸長状態である使用状態（非沈胴状態）であるテレ状態のズームレンズ鏡筒を示している。以下、レンズ鏡筒と呼ぶ。第３図はこのズームレンズ鏡筒の分解斜視図である。ただしレンズ鏡筒としてのレンズ鏡筒外観部品は省略してある。このズームレンズ鏡筒は、主に、固定筒１と、フォーカシングカム枠８と、変倍カム枠５と、フォーカシングレンズＬ１を保持したフォーカシングレンズ枠７と、バリエータレンズＬ２を保持したバリエータ枠４と、コンペンセータレンズＬ３を有したコンペンセータ枠３と、リレーレンズＬ４を保持したリレーレンズ枠２とを有する。このズームレンズ鏡筒は光軸方向に寸法を最小に短縮した沈胴状態と、それより光軸方向に繰出され、その寸法が最大であるテレ状態とに進退可能となっている。尚、本願実施形態の説明にあたって、撮像機器である沈胴式レンズ鏡筒を有するコンパクトカメラなどに用いられるレンズ鏡筒を前提に説明を行う。
【００１４】
第１図、第２図、第３図において、固定筒１はズームレンズ鏡筒の光軸後方に配置され、外筒１ｂと内筒１ｃを有し、この内筒１ｃの外側に内筒１ｃを覆うように外筒１ｂを有している。固定筒１は光軸を中心とした円板形状のフランジ１ａを有していて、その中心には撮影光束を通過させる開口１ｋを有している。この開口の光軸前方に内筒１ｃが形成されている。また、固定筒１の内筒１ｃの光軸方向後端面には開口１ｋの口元全周に、光軸方向及び外径方向に凹んだ段差凹部１ｊを有する。外筒１ｂには光軸と平行に、２本の溝（スロット）がキー溝１ｈ、１ｉとして、互いに円周方向に離間して外筒１ｂ先端より後端まで設けられている。さらに外筒１ｂの外側にはフランジ１ａに、光軸と平行に２本のガイド軸１ｄ，１ｅが設けられている。ガイド軸１ｄ，１ｅそれぞれの光軸方向前方の前端面には光軸方向にネジ穴１ｆ、１ｇを有している。  そしてフォーカシングレンズＬ１が２本のガイド軸１ｄ，１ｅにより光軸方向にガイドされ、バリエータ枠がキー溝１ｉにより案内され、コンペンセータ枠３がキー溝１ｈによりガイドされ光軸方向に摺動自在に嵌合している。
【００１５】
リレーレンズ枠２は、相対的な大径部外周面２ａと小径部外周面２ｂを光軸方向にならべた外周面を有する段付きの略筒状に形成され、前方には前方端面より光軸前方に突出したレンズ面を有する光学素子としてのリレーレンズＬ４を保持している。リレーレンズ枠２は上記内筒１ｃの内周に光軸方向に摺動可能に収納されている。また、筒状のリレーレンズ枠２の外周には干渉許容ばね（コイルバネ）２ｆが巻回され緩く嵌合し、この干渉許容ばね２ｆを内筒１ｃの前端面とリレーレンズ枠２の大径部とで光軸方向に挟んでおり、この干渉許容ばね２ｆによりリレーレンズ枠２を固定筒１の前方に付勢している。
【００１６】
リレーレンズ枠２の光軸後方の後端面には円周方向に所定の間隔をあけ、光軸方向に一対の摺り割り（切り込み溝）２ｃが設けられており、この一対の摺り割りの間の円弧部分の光軸後方先端の外周には外径方向に突出した爪部２ｅが形成されている。この円弧部２ｄは片持ち梁として機能し、その光軸後方先端は径方向に弾性変形が可能となっている。内筒に対するリレーレンズ枠２の小径部の嵌合後、段差凹部１ｊには、爪部２ｅが係止される。上記リレーレンズ枠２が内筒１ｃ内に前方より後方に移動して内筒１ｃ内部に嵌合するとき、上記円弧部２ｄが爪部２ｅの内径側への変位と伴に内径方向に撓み、上記コイルバネの付勢力に抗して内筒１ｃ内に、光軸方向に押し込まれ上記爪部２ｅと段差凹部１ｊとの係止により干渉許容ばね２ｆの付勢力に抗してリレーレンズ枠２が内筒１ｃから離脱することを防いでいる。
【００１７】
そして通常の撮影状態においてリレーレンズ枠２は固定筒１と一体的になっており、固定筒１に対し相対的な移動はしないようになっている。
コンペンセータ枠３は、コンペンセータレンズを保持するレンズ保持枠３ａを有し、ここから、光軸方向に延び、３つの同一形状の長い腕部を有し、円周方向に等間隔に設けられている。コンペンセータ枠３の腕部３ｂの一つには光軸方向の後端にカムフォロアとしてのピン３ｃが外径方向に向かって設けられている。コンペンセータ枠３のピン３ｃは固定筒１の一方のキー溝１ｈに嵌合している。
【００１８】
バリエータ枠４は、バリエータレンズを保持するレンズ保持枠４ａを有し、光軸方向に延び、３つの同一形状の長い腕部４ｂを有し、互いに離間し円周方向に等間隔に設けられている。コンペンセータ枠３の腕部３ｂとバリエータ枠４の腕部４ｂが円周方向に重ならぬように配置され、コンペンセータ枠３とバリエータ枠４は互いに光軸方向に近接、離間した移動が出来るようになっている。バリエータ枠４の腕部４ｂの一つには光軸方向の後端にカムフォロアとしてのピン４ｃが外径方向に向かって設けられている。このピン４ｃは固定筒１の他方のキー溝１ｉに嵌合している。
【００１９】
固定筒１の外筒１ｂの外周面には変倍カム枠５が回動自在に嵌合している。変倍カム枠５はレンズ鏡筒のスーミング、即ち焦点距離を変更するための回動部材である。変倍カム枠５は図４に示すように、筒形状のカムを形成している。光軸前方の端面は光軸方向には変化の無い平坦な端面となっている。光軸後方の端面部には円周方向の略半周分ずつそれぞれに光軸方向に変化するカム端面が形成されている。これら二つのカム端面の一つがコンペンセータ枠３を光軸方向に駆動するコンペンセータ用カム面５ａとなっていて、残りの半周分がバリエータ枠４を光軸方向に駆動するバリエータ用カム面５ｂとなっている。非沈胴状態であるテレ状態からワイド状態の間のズーム状態において、二つのカム端面それぞれにコンペンセータ枠３のピン３ｃ、バリエータ枠４のピン４ｃが後述するコンペンセータ用バネ３ｄ、バリエータ用バネ４ｄに付勢されて当接する。円周方向においてこれらカム端面との間には光軸後方に突出して先端が固定筒１のフランジ１ａの前面に当接している一対の腕部５ｃを有している。
【００２０】
固定筒１の外筒１ｂの前端面には、光軸上に、撮影光束を通過させる開口６ａが設けられた円板状の抜け止めリング６が配置、固定されている。この抜け止めリング６には光軸を挟んで一対のバネ懸架部６ｂを有し、一方のバネ懸架部６ｂはコンペンセータ用バネ３ｄの一端を懸架し、他方のバネ懸架部６ｂはバリエータ用バネ４ｄの一端を懸架する。コンペンセータ用バネ３ｄの他端はコンペンセータ枠３のピン３ｃに懸架され、バリエータ用バネ４ｄの他端はバリエータ枠４のピン４ｃに懸架されている。従って、常時、沈胴状態であっても、ズーム状態であっても、バリエータ用バネ４ｄ、コンペンセータ用バネ３ｄは引っ張られた状態で懸架されている。ズーム状態ではこれらバネの付勢力により、コンペンセータ枠３のピン３ｃはコンペンセータ用カム面５ａに当接、バリエータ枠４のピン４ｃはバリエータ用カム面５ｂに当接している。
【００２１】
バリエータレンズＬ２の前方に配置されるフォーカシングレンズＬ１を保持したレンズ保持枠部７ａを有したフォーカシングレンズ枠７はレンズ保持枠部７ａから光軸に平行で光軸後方に光軸を挟み長く延びる一対の腕部７ｂ、７ｅを有している。これら腕部７ｂ、７ｅは外筒１ｂの外周面とガイド軸との間に設けられている。一方の腕部７ｂの光軸後方先端には一方のガイド軸１ｄと嵌合する光軸方向に穿孔された嵌合穴７ｃが設けられている。また、この先端部からレンズ鏡筒外径方向に向かって延びたピン７ｄが設けられている。他方の腕部７ｅには光軸後方先端に他方のガイド軸１ｅと嵌合する光軸方向に穿孔された嵌合穴であってレンズ鏡筒の周方向には精密に嵌合し、径方向に遊嵌する長穴７ｆが設けられている。
【００２２】
固定筒１の外周には円筒状の部材からなり光軸方向の両端面が開放された開口を有したフォーカシングカム枠８が配置され、フォーカシングカム枠８の後端はフランジ１ａの外周に嵌合し回転自在に取り付けられている。フォーカシングカム枠８の円筒面には外周から内周に貫通したカム溝８ａ、８ｂ、８ｃが形成され、このカム溝には上記フォーカシングレンズ枠７のピン７ｄが嵌合している。カム溝は図５に示すように、フォーカシングカム溝８ａと、これに連続してこのカム溝より光軸に対し傾斜した沈胴カム溝８ｂと、これに連続して周方向に平行した回動余裕カム溝８ｃとからなる。
【００２３】
リング９はレンズ鏡筒の光軸方向先端部に設けられ、撮影光束を通過させるため、抜け止めリング６の外径より大きい開口９ａを有したリング状の部材である。さらに光軸を挟むように光軸方向に貫通した二つの貫通穴９ｂ、９ｃを有している。そしてガイド軸１ｄ，１ｅのネジ穴１ｆ、１ｇに該貫通穴９ｂ、９ｃを通してネジ１０，１１が螺着されリング９はガイド軸１ｄ、１ｅに固定される。これによって、リング９の外周にフォーカシングカム枠８の内周の前端が嵌合し、フォーカシングカム枠８が回動自在に設けられる。
【００２４】
レンズ鏡筒は、従来のコンパクトカメラのようにカメラ本体に固定的に付属し、リング９に固着された円筒状のレンズ鏡筒外観部材１４に覆われ、沈胴時、撮影可能状態ともにこのレンズ鏡筒外観部材１４とカメラ外観部材１５とで覆われている。通常の使用時には図２に示す状態にあり、ズーミング及びフォーカシングを行うことができる。ズーミングに関する駆動機構については図示を省略してあるが、図示していないズームモータの回転によりおこなう。例えば変倍カム枠５の外周面に設けられたギアに、減速機構を介したズームモータからの出力回転伝達するピニオンギアを噛合させ、変倍カム枠５が回転させる。または、一眼レフレックスカメラに着脱可能な交換レンズのように図示しないズーム枠の回動操作によって、例えば図示しない駆動力伝達部材により変倍カム枠５を回動させることができる。いずれにしても本願実施形態のレンズ鏡筒の発明を従来のコンパクトカメラのようにカメラや交換レンズに提供できるのに変わりはない。尚、変倍カム枠５の外周面にピニオンギアを噛合させる構成については、例えば、フォーカシングカム枠８のカム溝が形成されていない部分を切り欠き、この切り欠きからフォーカシングレンズ枠７の腕部を妨げない位置で、露呈する変倍カム枠５の外周面に設けたギアに対しピニオンギアを噛合させるようにすればよい。あるいは、変倍カム枠５の腕部をさらに固定筒１のフランジ１ａを貫通させ後方に延出させ、この延出部にカメラ本体側においてギアなどで駆動するようにすることもできる。また同様にフォーカシングに関して、コンパクトカメラに適用する場合も、交換レンズに適用する場合も例えば、オートフォーカスのためにフォーカシングカム枠の外周などに設けたギアに、減速機構を介したオートフォーカス用のモータからの出力回転伝達するピニオンギアを噛合させ、フォーカシングカム枠８を回転させる。
【００２５】
上記リレーレンズの光軸後方には上記レンズ光学系Ｌ１、Ｌ２、Ｌ３、Ｌ４を通過してきた被写体光束を像信号に変換する撮像素子１３、及び、撮像素子１３とリレーレンズＬ４との間には光学的ローパスフィルタ１２が配置されている。
【００２６】
次に、このように構成されたレンズ鏡筒の作用を説明する。
【００２７】
変倍カム枠５が回動すると、この変倍カム枠５のコンペンセータ用カム面５ａにバネ３ｄにより押圧されているコンペンセータ枠３上のピン３ｃがカム面５ａを摺接するので、コンペンセータ枠３はコンペンセータ用カム面５ａの光軸方向の変化量に応じて光軸方向に移動する。また同時に変倍カム枠５のバリエータ用カム面５ｂをバネ４ｄにより押圧しているバリエータ枠４上のピン４ｃが摺接するので、バリエータ枠４は上記バリエータ用カム面５ｂの光軸方向の変化量に応じて光軸方向に移動する。
【００２８】
フォーカシングは、所定のフォーカシング回動領域内で、フォーカシングカム枠８を手動によって回動操作することにより、または、ズーミングの場合と同様に図示しないフォーカシングモータを駆動し、フォーカシングカム枠８に設けられたギアに噛合するフォーカシングモータからの駆動力で回転するピニオンギアを回動させることにより行われる。すなわち、フォーカシングカム枠８をフォーカシング回動領域内で回動させると、フォーカシングレンズ枠７上のピン７ｄがフォーカシングカム枠８のフォーカシングカム溝の内フォーカシングカム溝８ａの範囲を移動するので、これによりフォーカシングレンズ枠７は至近から無限遠までのフォーカシングのために光軸方向に繰出され、あるいは繰り込まれる。
【００２９】
ところで、コンペンセータ枠３には、バネ７による付勢力とコンペンセータ用カム面５ａによる押圧力とが互いに逆方向で加えられるが、これらの力は同一位置のピン３ｃにおいて加えられているため、コンペンセータ枠３を光軸に対して傾けるような回転モーメントはほとんど作用せず、したがって、コンペンセータ枠３は固定筒１の外筒１ｂ内を傾くこと無く円滑に摺動する。バリエータ枠４についても上記コンペンセータ枠３と全く同様の構成であるのでバリエータ枠４も固定筒１の外筒１ｂ内を傾くこと無く円滑に摺動する。
【００３０】
このような使用状態から、携帯、収納に便利な沈胴状態に移行させるには、上記フォーカシングカム枠８をフォーカシング回動領域からさらに図５に矢印ａで示す方向に回動させる。すなわち、フォーカシングカム枠８をフォーカシング回動領域を超えて矢印ａ方向に回動させると、ピン７ｄはフォーカシングカム枠８のカム溝のフォーカシングカム溝８ａから沈胴カム溝８ｂへ移行し、該カム溝の傾斜に沿って移動するので、フォーカシングレンズ枠７も同様に無限遠のフォーカシング位置よりさらに後方へ繰り込まれていく。このフォーカシングカム枠８の矢印ａ方向の回動によってフォーカシングレンズ枠７が後方へ移動していくと、フォーカシングレンズＬ１の光軸後方側の光学面がバリエータレンズＬ２の光軸前方側の光学面に当接(干渉）し（図１参照）、この時点からバリエータ枠４を上記バネ４ｄによる付勢力に抗して使用状態の位置よりさらに後方へ移動させる。すなわちこの移動によりバリエータ枠４上のピン４ｃは上記バリエータ用カム面５ｂから離間する。そして、フォーカシングレンズ枠７およびバリエータ枠４が二つのレンズを介して一体となってさらに後方に移動していくと、バリエータ枠４のバリエータレンズＬ２の光軸後方側の光学面がコンペンセータ枠３のコンペンセータレンズＬ３の光軸前方側の光学面に当接(干渉）し（図１参照）、この時点からコンペンセータ枠３を上記バネ３ｄによる付勢力に抗して使用状態よりさらに後方へ移動させる。このコンペンセータ枠３の移動によりコンペンセータ枠３上のピン３ｃは上記コンペンセータ用カム面５ａから離間することになる。
【００３１】
この後、続いてさらに、フォーカシングカム枠８を矢印ａ方向に回動させると沈胴カム溝の終端近傍からフォーカシングレンズ枠７、バリエータ枠４、コンペンセータ枠３がレンズを介して一体となり、光軸後方に移動し続け、さらにコンペンセータ枠３のコンペンセータレンズＬ３の光軸後方側の光学面がリレーレンズＬ４の光軸前方側の光学面に当接(干渉）し、干渉許容ばね２ｆの付勢力に抗してリレーレンズ枠２と伴にリレーレンズＬ４を光軸後方に移動させる。こうして干渉許容ばね２ｆと、リレーレンズ枠２と固定筒１の内筒１ｃとの嵌合、相対摺動構造とがレンズ同士の干渉を許容する干渉許容手段として機能する。また、干渉許容手段は干渉吸収手段と表現することもできる。
【００３２】
この干渉許容手段の構成として干渉許容ばね２ｆを用いたが、これに変わり磁石同士の反発を利用しても良い。
【００３３】
こうして、フォーカシングレンズ枠７、バリエータ枠４、コンペンセータ枠３、リレーレンズ枠２が順次後方に移動していくことによりレンズ間の空隙を排除し、このズームレンズ鏡筒は沈胴して短縮し、ピン７ｄが沈胴カム溝の最後部位置に至ったときレンズ鏡筒が最も短縮した状態となる。そして、この状態でさらにある角度だけフォーカシングカム枠８を矢印ａ方向に回動させることにより、ピン７ｄが余裕カム溝内に移行し、このレンズ鏡筒は図１に示した完全な沈胴状態に保持される。このように、フォーカシングカム枠８は駆動手段として機能し、フォーカシングレンズ枠７を直接に駆動し、フォーカシングレンズＬ１を移動させ、そしてこのフォーカシングレンズ枠７、フォーカシングレンズＬ１を介して間接的にバリエータレンズ、コンペンセータレンズを移動させ、最後には間接的にリレーレンズを移動させ、フォーカシングレンズＬ１、バリエータレンズＬ２、コンペンセータレンズＬ３、リレーレンズＬ４が繋がった状態となる。また、言い換えればフォーカシングカム枠８、フォーカシングレンズＬ１、バリエータレンズＬ２、コンペンセータレンズＬ３のこれらがリレーレンズＬ４を駆動している。
【００３４】
この沈胴状態から使用状態に移行させるには、フォーカシングカム枠８を矢印ａ方向とは逆の方向に回動させ、上述した動作と逆の動作を行わせればよい。
【００３５】
この沈胴状態ではレンズＬ１〜Ｌ４は互いに当接したままなのでレンズ鏡筒は光軸方向の長さは最小となる。したがって、このレンズ鏡筒自身、レンズ間に空隙を有したレンズ鏡筒に比較してさらに短縮され、このレンズ鏡筒を用いたコンパクトカメラなどの光軸方向におけるカメラ厚さをも薄くすることができる。図１を参照すると、レンズ間に空隙を有したままのレンズ鏡枠ではリング９の光軸方向前面からＰ＋ΔＰの寸法を必要とするのに対しこれら空隙を排除することによりΔＰの余計な寸法量だけ短縮時にはレンズ鏡筒の短縮化が図れることになる。
【００３６】
また干渉許容ばね２ｆは沈胴状態においても、レンズ鏡筒に光軸後方へ衝撃を与えられた場合、内部摩擦による熱エネルギーへの転換によりその衝撃をリレーレンズに直接伝えない衝撃緩衝の機能を有している。他のバネであるコンペンセータ用バネ３ｄ、バリエータ用バネ４ｄも同様である。
【００３７】
また、干渉許容ばね２ｆをレンズ同士の干渉を許容していると表現したが、他のばねであるコンペンセータ用バネ３ｄ、バリエータ用バネ４ｄもこのような干渉許容の機能を果たしていると言ってよい。
【００３８】
尚、沈胴時、レンズ間の空隙を排して短縮されるので当接したレンズ面同士の接触によりレンズ面の擦り傷などが懸念されるが、各レンズ面にＤＬＣ（ダイヤモンドライクカーボン）コーティングなどを施し、その傷を防止できる。ＤＬＣコーティングは厚み１μｍ以下が光学的に望ましい。また、ＤＬＣコーティングの前に酸化シリコン膜をレンズ面に施すことが好ましい。また、場合によりＤＬＣコーティングなどを施さず、擦り傷が付いたとしても光学性能の極端な劣化は起こらないので撮影には支障がほとんど無い。
【００３９】
また、本願説明では沈胴時に積極的にレンズ同士を当接させたが、これは設計的に、一つのレンズ移動位置を他のレンズ移動位置内に強引に重ね合わせた形式を採用している。しかし、これに限らずレンズ間の空隙を排除すればよいと言う観点から、設計上、沈胴時にレンズ間を０とする狙いを採用し、寸法公差から発生する干渉を許容する上記干渉許容を用いても良い。
【００４０】
また、本願実施形態において説明したフォーカシングカム枠８が沈胴するための駆動機構のおおもとであったが、これに限らず、他の部材、例えば変倍カム枠５を用いて一部のレンズ群を駆動し、その分だけでも短縮化に寄与させてもよい。例えば変倍カム枠５に設けられたバリエータ用カム面に沈胴用のカム面を設け、コンペンセータ枠３を移動させコンペンセータレンズをバリエータレンズに当接させ、さらにバリエータレンズとリレーレンズとを当接移動させて短縮化を図ってもよい。
【００４１】
また、本出願の実施形態はズームレンズ鏡筒を基に説明したが短焦点のレンズ鏡筒に適用しても構わない。
【産業上の利用可能性】
【００４２】
本発明は、上述に説明したごとく、レンズ鏡筒を短縮化することができ、銀塩フィルム用コンパクトカメラに限らずデジタルコンパクトカメラ、一眼レフレックス用交換レンズ、携帯電話に用いられるカメラ用レンズ鏡筒などに適用することができ、携帯性に優れたレンズ鏡筒を提供できる。
【符号の説明】
【００４３】
１  ・・・固定筒、
１ａ・・・フランジ、
１ｂ・・・外筒、
１ｃ・・・内筒（枠保持部材）、
１ｄ・・・ガイド軸（ガイドロッド）、
１ｅ・・・ガイド軸（ガイドロッド）、
１ｆ・・・ネジ穴、
１ｇ・・・ネジ穴、
１ｈ・・・キー溝、
１ｉ・・・キー溝、
１ｊ・・・段差凹部（係止段差）、
１ｋ・・・開口
２  ・・・リレーレンズ枠（第２のレンズ保持枠）、
２ａ・・・大径部外周面、
２ｂ・・・小径部外周面、
２ｃ・・・切り込み溝（摺り割り）、
２ｄ・・・円弧部、
２ｅ・・・爪部、
２ｆ・・・干渉許容ばね、
３  ・・・コンペンセータ枠（第１のレンズ保持枠）、
３ａ・・・レンズ保持枠部、
３ｂ・・・腕部、
３ｃ・・・ピン、
３ｄ・・・コンペンセータ用バネ、
４  ・・・バリエータ枠、
４ａ・・・レンズ保持枠部、
４ｂ・・・腕部、
４ｃ・・・ピン、
４ｄ・・・バリエータ用バネ、
５  ・・・変倍カム枠、
５ａ・・・コンペンセータ用カム面、
５ｂ・・・バリエータ用カム面、
５ｃ・・・腕部、
６  ・・・抜け止めリング、
６ａ・・・開口、
６ｂ・・・バネ懸架部、
７  ・・・フォーカシングレンズ枠、
７ａ・・・レンズ保持枠部、
７ｂ・・・腕部、
７ｃ・・・嵌合穴、
７ｄ・・・ピン（カムフォロア）
７ｅ・・・腕部
７ｆ・・・長孔
８  ・・・フォーカシングカム枠
８ａ・・・フォーカシングカム溝、
８ｂ・・・沈胴カム溝、
８ｃ・・・余裕カム溝、
９  ・・・リング、
９ａ・・・開口、
９ｂ・・・貫通穴、
９ｃ・・・貫通穴、
１０・・・ネジ、
１１・・・ネジ、
１２・・・ローパスフィルタ
１３・・・撮像素子
１４・・・レンズ鏡筒外観部材
１５・・・カメラ外観部材
Ｌ１・・・フォーカシングレンズ、
Ｌ２・・・バリエータレンズ（第３のレンズ）、
Ｌ３・・・コンペンセータレンズ（第１のレンズ）、
Ｌ４・・・リレーレンズ（第２のレンズ）
【図１】
0005582598.tif 000002
【図２】
0005582598.tif 000003
【図３】
0005582598.tif 000004
【図４】
0005582598.tif 000005
【図５】
0005582598.tif 000006